(57)【要約】【課題】光源を多重反射によって複数の光源が異なる間隔で配置されたように見せることができ、さらに反射型赤外線センサを露出させることなく配設した鏡面装置及び照明器具を提供する。【解決手段】枠体12と；ハーフミラー部11dを有し、他面側と前記枠体12とが当接するように前記枠体12を覆う前面パネル11と；前記前面パネル11の他面側に配設され、前記前面パネル11から遠ざかるように傾斜する複数の反射面14bが互いに接続されて構成され、前記反射面14bに複数の透光孔１４dを有する反射板14と；前記反射板14の透光孔１４dに配設される光源16と；前記本体13に配設されて、前記光源16を点灯制御する点灯回路17と；を具備したことを特徴とする。【選択図】図１
2010205486.tif 000002
【特許請求の範囲】
【請求項１】
本体と；
前記本体に配設され、中央に開口部を有する枠体と；
一面側から入射した可視光を反射するとともに、他面側から入射した可視光の一部が一面側へ透過し、残光の少なくとも一部が反射するように構成されたハーフミラー部を有し、他面側と前記枠体とが当接するように前記枠体を覆う前面パネルと；
前記前面パネルの他面側に配設され、前記前面パネルから遠ざかるように傾斜する複数の反射面が互いに接続されて構成され、前記反射面に複数の透光孔を有する反射板と；
前記反射板の透光孔に配設される光源と；
前記本体に配設されて、前記光源を点灯制御する点灯回路と；
を具備したことを特徴とする鏡面装置。
【請求項２】
前記前面パネルの他面側に配設され、前面パネルの１面側へ赤外線を出射する赤外線出射部及びこの赤外線出射部から出射された赤外線の反射光を受信する赤外線受信部を有する反射型赤外線センサと、反射型赤外線センサと前記前面パネルとの間に配設され、前記前面パネルの他面側で反射した赤外線が前記赤外線受信部に入射することを防止するように設けられたセンサカバーとを有し、前記反射型センサの検出信号によって前記光源を点灯制御することを特徴とする請求項１に記載の鏡面装置。
【請求項３】
請求項１または２に記載の鏡面装置と；
前記本体に配設された照明用光源と；
前記照明用光源を点灯制御する点灯装置と；
を具備したことを特徴とする照明装置。
【発明の詳細な説明】
【技術分野】
【０００１】
本発明は、ハーフミラーの背面側に配設した点光源を多重反射によって多数の光源に見せる鏡面装置及びその鏡面装置を用いた照明装置に関する。
【背景技術】
【０００２】
近年LEDの普及に伴い様々なシーンでLEDを用いた応用商品が開発されている。LEDは蛍光ランプ等の従来光源に比べて小形であるためインテリア等の分野においても用いられている。
【０００３】
一方、例えば、光源から出射された光をハーフミラーによって多重反射させることによって中間反射板に施された絵柄を多数に見せることができる照明装置が知られている（例えば、特許文献１参照。）。
【０００４】
上記従来技術において、LEDを用いれば絵柄が施された中間反射板及び光源に置換えてLEDを多数に見せるインテリアとしての鏡面装置を提供できる。
【０００５】
しかしながら、従来はハーフミラーと背面側の反射板とが平行状態で配置されるものが一般的であり、一定間隔の多重反射しか発生しないので見栄えがよくないという問題がある。
【０００６】
また、鏡面装置に配設したLEDや鏡面装置を照明装置として用いる場合に配設される照明用光源のオンオフを、例えば反射型の赤外線センサで切り替える場合、センサをハーフミラーの背面側に配設するとセンサから出射した赤外線の一部がハーフミラーで反射して、常にオンオフを繰り返す又は反応しないという問題がある。
【０００７】
このため、このような鏡面装置や照明装置を反射型赤外線センサで制御する場合にはセンサを外部に露出させるか、あるいはセンサ以外のスイッチを設ける必要があり、外観が悪化するという問題もある。
【先行技術文献】
【特許文献】
【０００８】
【特許文献１】特開平７−６５６１７号公報
【発明の概要】
【発明が解決しようとする課題】
【０００９】
本発明は、このような点に鑑みなされたもので、１つの光源から出射された光を多重反射させることによって複数の光源が異なる間隔で配置されたように見せることができ、さらに反射型赤外線センサを露出させることなく配設した鏡面装置及び照明装置を提供することを目的とする。
【課題を解決するための手段】
【００１０】
請求項１記載の鏡面装置は、本体と；前記本体に配設され、中央に開口部を有する枠体と；一面側から入射した可視光を反射するとともに、他面側から入射した可視光の一部が一面側へ透過し、残光の少なくとも一部が反射するように構成されたハーフミラー部を有し、他面側と前記枠体とが当接するように前記枠体を覆う前面パネルと；前記前面パネルの他面側に配設され、前記前面パネルから遠ざかるように傾斜する複数の反射面が互いに接続されて構成され、前記反射面に複数の透光孔を有する反射板と；前記反射板の透光孔に配設される光源と；前記本体に配設されて、前記光源を点灯制御する点灯回路と；を具備したことを特徴とする。
【００１１】
ハーフミラーとは、一方から視認したときには一方側の光が反射することによって、他方側を視認できない状態となり、他方から視認したときには一方側を視認できる構成のものをいう。つまり、一面側のみが鏡面で構成されているものである。
【００１２】
一面側から入射した可視光を反射し、他面側から入射した可視光の一部が一面側へ透過し、残光の少なくとも一部が反射するとは、一面側にハーフミラー部の鏡面側が形成されており、他面側は光を透過及び反射するように構成されたものであることをいう。
【００１３】
他面側と前記枠体とが当接するとは、例えば前面パネルが枠体に直接載置されている場合や、互いを接着材や両面テープ等の接着部材を介して取り付ける場合も含み、製品誤差や歪みまたは構造上一部接触していない部位が形成される態様も含むものとする。
【００１４】
前面パネルから遠ざかるように傾斜するとは、反射面の位置によって、反射面から前面パネルまでの距離が異なることをいい、反射面の表面形状は平面または曲面等であってもよい。
【００１５】
複数の反射面が互いに接続されとは、例えば傾斜の方向がそれぞれ異なる反射面を複数有し、各反射面の側縁同士が連接されているものいう。
【００１６】
例えば、三角形状の反射面を４つ連接し、反射面と前面パネルとで四角錐を構成してもよいし、その他の多角錐やこれらを組合わせたものなどどのような構成であってもよい。  また、複数の反射面は、複数の部材で構成しても、一つの部材によって構成したものであってもよい。
【００１７】
透光孔は、反射面に形成されて透光性を有していればよく、例えば貫通孔であってもよいし一部反射面を形成しないように構成したものであってもよい。
【００１８】
なお、この透光孔は大きさ、形状、配置間隔等を適宜設定してもよく、これらの組合せによって異なる視覚効果を得ることができる。
【００１９】
反射板の透光孔に配設される光源は、例えばLEDやその他の点光源が好ましいが特に限定されない。
【００２０】
また、光源の点灯制御はオンオフのみならず、所定の周期または異なる周期でフェードイン、フェードアウトできるように構成してもよい。
【００２１】
請求項２記載の鏡面装置は、前記前面パネルの他面側に配設され、前面パネルの１面側へ赤外線を出射する赤外線出射部及びこの赤外線出射部から出射された赤外線の反射光を受信する赤外線受信部を有する反射型赤外線センサと、反射型赤外線センサと前記前面パネルとの間に配設され、前記前面パネルの他面側で反射した赤外線が前記赤外線受信部に入射することを防止するように設けられたセンサカバーとを有し、前記反射型センサの検出信号によって前記光源を点灯制御することを特徴とする。
【００２２】
センサカバーは、例えば赤外線出射部及び赤外線受信部の少なくとも一方から前面パネルにかけて赤外線の出射光または反射光をそれぞれ隔離するように設けられた筒状に形成してもよい。この場合には、筒状のセンサカバーの端部と前面パネルとを当接するように設けることで、前面パネルで反射した赤外線が赤外線受信部に入射することを抑制することができる。
【００２３】
赤外線出射部から出射される赤外線は、近赤外線が好ましいが前面パネル他面側から一面側及び一面側から他面側へ透過可能であればその波長は特に限定されない。
【００２４】
前面パネルの基材にガラスを用いる場合には、遠赤外線の透過率が著しく低下するため遠赤外線に比べて透過率の高い近赤外線を用いるのが好ましい。
【００２５】
請求項３記載の照明装置は、請求項１または２に記載の鏡面装置と；前記本体に配設された照明用光源と；前記照明用光源を点灯制御する点灯装置と；を具備したことを特徴とする。
【００２６】
照明用光源は、上記反射型赤外線センサによってオンオフ等の点灯制御を行ってもよく、透光孔に配設される光源を制御するセンサに加えさらに同構成のセンサを具備したものであってもよい。
【発明の効果】
【００２７】
請求項１記載の鏡面装置によれば、前面パネルに対して傾斜する反射面を複数具備しているので、一つの透光孔に配設した光源を複数に見せることができ、さらに反射光の間隔及び方向が異なるために全体として複雑な光学模様を形成し視覚効果を高めることができる。また、前面パネルと枠体とが当接されるので、前面パネル、枠体、反射板とで形成される空間部に外光が入射し難くなるため、反射面の境界が目立ち難くなる。
【００２８】
請求項２記載の鏡面装置によれば、センサカバーによって前面パネルの背面側に反射型赤外線センサを設けても誤検知を防止できるので、センサを露出させることなく配設することができる。
【００２９】
請求項３記載の照明装置によれば、請求項１または２に記載の鏡面装置の効果を有する照明装置を提供することができる。
【図面の簡単な説明】
【００３０】
【図１】本発明の鏡面装置を示す平面図である。
【図２】同上鏡面装置を一側から示す側面図である。
【図３】同上鏡面装置から前面パネルを取外したときの正面図である。
【図４】同上鏡面装置のAA断面を示す断面図である。
【図５】本発明の照明装置を示す断面図である。
【発明を実施するための形態】
【００３１】
以下、本発明の一実施の形態を図面を参照して説明する。
【００３２】
図１ないし図４に本発明に係る鏡面装置の実施の形態を示し、図１は鏡面装置の平面図、図２は鏡面装置の側面図、図３は鏡面装置から前面パネルを外したときの平面図、図４は図１におけるAA断面を示す鏡面装置の断面図である。
【００３３】
図１及び図２において、鏡面装置１０は、平面視が四角形状の前面パネル１１を有しており、前面パネル１１は中央に平面状に形成された四角形状の主部１１a及び主部１１aの４つの縁部１１bから連続的に形成されて主部１１aの面に対して後方へ傾斜する平面状の側縁部１１cを具備している。
【００３４】
前面パネル１１は、ガラス基材で構成され、図４に示すように一面側である正面に対して背面となる他面側にハーフミラー部１１dが形成されている。
【００３５】
前面パネル１１の他面側には、平面視が前面パネル１１の外周とほぼ同形状となる四角形状の枠部１２が前面パネル１１に当接するように設けられている。ここでは、図示しない接着手段によって前面パネル１１及び枠部１２が隙間無く接続されている。
【００３６】
枠部１２は、四角形状の外周から後方に向かって同形状で形成される側周部１２a及び側周部１２aからさらに後方に向かって縮径するように傾斜部１２bが設けられている。この枠部１２は、光を透過しない部材で形成されている。
【００３７】
また、枠部１２の最後端は鏡面装置１０の本体１３に取付けられている。
【００３８】
この本体１３は外形が四角形で平板のアルミニウムで構成せれており、配線や壁面に取付けるための図示しない開口が適宜設けられている。
【００３９】
図３及び図４に示すように、枠部１２は中央に四角形状の開口部１２ｃを有する枠状であって、外周には前面パネル１１を配置するための当接部１２ｄを有している。
【００４０】
枠部１２の開口部１２ｃには外形が開口部１２cと同形状に構成された反射板１４を有している。
【００４１】
この反射板１４は、３角形で平面状の４つの反射部１４aからなり、各反射部１４aは例えばアクリル等の透光性部材で構成され、前面パネル側である上面側に金属蒸着膜で形成された反射面１４ｂを有している。
【００４２】
また、反射部１４aは、枠部１２から開口部１２ｃの中央に向けて本体１３側へ傾斜しており、すなわち前面パネル１１から遠ざかるように傾斜しており、それぞれの反射部１４aの縁が接続されて四角錐を形成している。
【００４３】
ここで、反射面１４ｂ同士の境界である周縁部１４ｃは、傾斜方向が異なる面同士の接合面であるため筋として見えることになる。
【００４４】
反射面１４bは、それぞれ大きさ及び配置位置が異なる複数の透光孔１４dが設けられている。そして、反射板１４の背面側には反射部１４aと同形状の基板１５が設けられており、基板１５には基板１５を反射板１４に取付けたときに、透光孔１４dの位置に対向するように光源としてのLED１６が配設されている。このLED１６は少なくとも可視光を照射するものである。
【００４５】
本体１３には前面パネル側に立設する取付部１３aを有しており、枠部１２及び反射板１４を支持するとともに、本体１３にはLED１６を点灯制御するための点灯回路１７が配設されている。
【００４６】
また、反射板１４には角形の開口穴１４eが反射部１４aの枠部側中央に設けられており、この開口穴１４eから外方を臨むように取付部１３aに取付けられて反射型赤外線センサ１８が設けられている。さらに、反射型赤外線センサ１８と前面パネル１１との間にはセンサカバー１９が設けられており、センサカバー１９の先端は前面パネル１１の他面側、すなわちハーフミラー部１１dに当接している。
【００４７】
つまり、枠部１２の当接部１２ｄとセンサカバー１９の先端は面一に形成されており、前面パネル１１を枠部１２に配設したときに、前面パネル１１と当接部１２ｄ及びセンサカバー１９とが当接するように構成される。
【００４８】
反射型赤外線センサ１８は、前面パネルの１面側へ赤外線を出射する赤外線出射部１８a及びこの赤外線出射部から出射された赤外線の反射光を受信する赤外線受信部１８bを有しており、センサカバー１９は赤外線出射部１８a及び赤外線受信部１８bに対応する位置に夫々穴部１９a、１９ｂが設けられ筒状に形成されている。
【００４９】
従って、赤外線出射部１８aから出射して前面パネル１１の他面側で反射した赤外線が赤外線受信部１８ｂに入射することを防止することができる。
【００５０】
次に、本発明に係る鏡面装置１０の作用について説明する。
【００５１】
まず、使用者が反射型赤外線センサ１８近傍の前面パネル１１の手前で手をかざすと、点灯回路１７が反射型赤外線センサ１８の検出信号に従って、LED１６の点灯制御を開始する。このとき、LEDは、一定のリズムで変化する周期によってフェードイン及びフェードアウトを繰り返す。
【００５２】
LED１６から出射された光は前面パネル１１の他面側に形成されたハーフミラー部１１dによって一部は一面側に透過するとともに、残りは反射板１４に向かって反射される。
【００５３】
反射板１４に入射した反射光は、さらに前面パネル１１へ反射され、透過と反射を繰り返す。ここで、LED１６からの出射光及び反射光を実線で示し、透過光を点線で示している。
【００５４】
このように、一つのLED１６から出射された光は多重反射によって前面パネル１１の異なる位置から複数出射することになり前面パネルの一面側から見たときに複数の光源として視認することになる。
【００５５】
また、反射面１４ｂは前面パネル１１に対して傾斜しているととともに、各反射面１４ｂの傾斜方向が異なっているため、LED１６から出射した光は複雑な多重反射によって、不均一な光源模様を形成することができる。
【００５６】
また、反射板１４に設けられた透光孔１４dの大きさが異なるためにLED１６に奥行き感が生まれる。
【００５７】
さらに、一定のリズムで変化する周期によってフェードイン及びフェードアウトを繰り返し、いわばLED１６が揺らぐように制御される。
【００５８】
これらの効果によって、本発明の鏡面装置１０は視覚効果を高めることができる。
【００５９】
しかしながら、このように視覚効果の高い鏡面装置を構成する場合、傾斜方向が異なる反射面１４bを複数必要とし、これらの境界面においては筋が発生しやすくなる。
【００６０】
このように、境界面の筋が目立つと光源の奥行き感等の視覚効果が失われてしまうという問題がある。
【００６１】
反射面１４ｂの境界面に発生する筋は反射面が不連続な箇所に可視光が照射されることで発生すると考えられる。特に、前面パネル１１の他面側に形成される空間に外光等が入射すると筋が目立ちやすくなる。
【００６２】
本願発明者らは、上記課題に対して前面パネル１１と枠部１２とを当接させて外光の入射を抑制することによって、反射面１４ｂの境界が目立ち難くなることを見出した。
【００６３】
さらに、前面パネル１１の他面側にハーフミラー部１１dを形成し、このハーフミラー部１１dの他面側と枠部１２とを当接させることで外光の入射をさらに抑制することができることを見出した。
【００６４】
これは前面パネル１１の厚みによって、外光が入射するおそれがあるためである。
【００６５】
また、枠部１２自体を非透光性とするか枠部１２の開口部１２ｃ側に遮光部材を設けることによってさらに外光の入射を防止することができる。
【００６６】
一方、LED１６を反射面１４aから突出しないまたは突出量を最小減に留めるように配設することで、LED１６から出射された光が反射面１４ｂの境界へ照射されることを抑制することもできる。
【００６７】
このように、本願発明の鏡面装置によれば、傾斜方向が異なる複数の反射面１４bによって、LED１６から出射された光を複雑に多重反射させるとともに、反射面１４bの境界を目立ち難くすることによって優れた視覚効果を得ることができる。
【００６８】
次に、本発明の照明装置について図５を用いて説明する。
【００６９】
本実施形態に係る照明装置２０は、鏡面装置１０に照明用光源、照明用光源を点灯制御するための点灯装置、照明用光源のオンオフスイッチとしてのセンサを具備した点、及び枠部の構成が異なるものであるので、上述した鏡面装置１０の実施例と同一の構成については同一符号を付してその説明は省略する。
【００７０】
図５は、図１のAA断面と同位置における断面を示す断面図であって、照明装置２０は枠部１２の各辺に対向するように長手状の基板２１が取付部１３aの外周側に取付けられている。基板２１には照明用光源としてのLED２２が長手状に複数個設けられている。
【００７１】
また、本体１３と反射板１４との間にはLED２２を点灯制御するための点灯装置２７が配設される。
【００７２】
本実施形態では、枠部１２は透光かつ拡散性を有しており、LED２２から放射された光が枠部１２に入射すると、枠部１２全体から外方に拡散光として照射される。
【００７３】
これによって、本体１３が取付けられる壁面等に拡散光が照射されて、間接照明を行うことができる。
【００７４】
また、照明装置２０には反射型赤外線センサ１８、センサカバー１９と同様に構成された反射型赤外線センサ２８、センサカバー２９が反射板１４の対向する位置に設けられている。
【００７５】
すなわち反射型赤外線センサ２８は、反射板１４に設けられた開口穴２４eを臨むように配設され前面パネルの１面側へ赤外線を出射する図示しない赤外線出射部及びこの赤外線出射部から出射された赤外線の反射光を受信する赤外線受信部を有しており、センサカバー２９は赤外線出射部及び赤外線受信部に対応する位置に夫々図示しない穴部が設けられ筒状に形成されている。
【００７６】
そして、反射型赤外線センサ２８の検出信号に応じて点灯装置２７はLED２２のオンオフ制御を行う。
【００７７】
なお、本実施形態では枠部１２の開口部１２ｃ側には遮光部２３が設けられており、枠部１２で拡散された光は反射板１４と前面パネル１１とで囲まれる空間には入射しないように構成されている。
【００７８】
従って、本実施形態においても上述した鏡面装置と同様の作用によって視覚効果を得ることができるとともに、LED２２から照射された光が反射面１４bの境界を目立たせるという不具合が無く、視覚効果を低減させることがない。
【符号の説明】
【００７９】
10…鏡面装置、11…前面パネル、11d…ハーフミラー部、12…枠部、13…本体、14…反射板、14b…反射面、14d…透光孔、15…基板、16…光源としてのLED、17…点灯回路、18…反射型赤外線センサ、19…センサカバー、20…照明装置、21…基板、22…照明用光源としてのLED、23…遮光部
【図１】
2010205486.tif 000003
【図２】
2010205486.tif 000004
【図３】
2010205486.tif 000005
【図４】
2010205486.tif 000006
【図５】
2010205486.tif 000007